(57)【要約】      （修正有）【課題】螺旋式照明具をＰＬランプソケット上に使用できるアダプタ構造を提供する。【解決手段】本体１０を有し、本体１０両端にはベース１１、螺合固定台１５をそれぞれ形成し、ベース１１の底面には少なくとも１個の第一導ピン１２１と少なくとも１個の第二導ピ１２２を設置し、螺合固定台１５は結合孔１６を備え、螺合固定台１５の結合孔１６内壁には第一、二導ピン１２１、１２２と電気的に連接する螺旋結合リング１８を設置し、しかも螺合固定台１５の結合孔１６内底面には、第一、二導ピン１２１、１２２と電気的に連接する弾性接触片１９を設置する。【選択図】図３
0003177544.tif 000002
【実用新案登録請求の範囲】
【請求項１】
螺旋式照明具をＰＬランプソケット上に選択的に設置することができるアダプタ構造であって、
本体を有し、
前記本体両端には、ベース及び螺合固定台をそれぞれ形成し、
前記ベースは、ＰＬランプソケット上に選択的に嵌めて設置でき、前記ベース底面には、少なくとも１個の第一導ピンと少なくとも１個の第二導ピンを設置し、前記第一、二導ピンにより、アダプタ構造は、ＰＬランプソケットのプラス、マイナス極とそれぞれ接触通電し、
前記螺合固定台は、結合孔を備え、前記結合孔内壁には、金属の螺旋結合リングを設置し、これに対応する螺旋式照明具を選択的に螺設でき、前記螺旋結合リングは、前記ベースの第一導ピン或いは第二導ピンと、電気的連接を形成し、しかも、前記結合孔内底面には、金属の弾性接触片を設置し、前記弾性接触片は、前記ベースの第二導ピン或いは第一導ピンと電気的連接を形成することを特徴とするアダプタ構造。
【請求項２】
前記本体のベースは、周縁に、少なくとも２個の相対する嵌合部を形成し、
アダプタ構造は、前記ベースの嵌合部により、ＰＬランプソケット上に選択的に嵌合できることを特徴とする、請求項１に記載のアダプタ構造。
【請求項３】
前記螺旋結合リングは、第一導入接続部を備え、前記第一導入接続部を介して、前記ベースの第一導ピン或いは第二導ピンと、電気的連接を形成し、
前記弾性接触片は、第二導入接続部を備え、前記第二導入接続部を介して、前記ベースの第二導ピン或いは第一導ピンと電気連接を形成することを特徴とする、請求項１に記載のアダプタ構造。
【考案の詳細な説明】
【技術分野】
【０００１】
本考案は照明具のアダプタ技術領域に関する。
【背景技術】
【０００２】
従来のＰＬランプ（Ｐｏｉｌｔ Ｌａｍｐ）ソケットのほとんどは、台体を備え、設置地点(天井、或いは各種ダウンライトなど)に直接、設置するものである。その方法は、使用者がＰＬ照明具を持ち、ランプソケット上の溝孔に対応させ、ＰＬ照明具を溝孔内に挿入して係合する。
【０００３】
このタイプの従来のＰＬ照明具は、使用可能地点が少なく、しかも交換が容易でないため、市場における使用量は多くなく、コストも高い。このため、一般メーカーは、ＬＥＤ型式のＰＬ照明具の開発に消極的である。よって、使用者は電気を消耗する従来のＰＬ照明具を使い続けるか、或いは大金を投じて、ＰＬランプソケット全体を螺旋式ランプソケットに交換しなければならない。しかし、いずれにしろ実際の使用におけるニーズに応えることはできず、改良の必要がある。そこで、本考案は、従来のアダプタ構造の上記した欠点に鑑みてなされたものである。
【先行技術文献】
【特許文献】
【０００４】
【特許文献１】なし
【考案の概要】
【考案が解決しようとする課題】
【０００５】
本考案が解決しようとする課題は、螺旋式照明具を一般のＰＬランプソケット上に使用可能で、ＰＬランプソケット全体を交換することなく、比較的コストが低い螺旋式ＬＥＤ照明具を使用可能で、省エネと二酸化炭素削減の効果を兼ね備えるアダプタ構造を提供することである。
【課題を解決するための手段】
【０００６】
上記課題を解決するため、本考案は下記のアダプタ構造を提供する。
アダプタ構造は、本体により構成し、
該本体両端には、ベース及び螺合固定台をそれぞれ形成し、
該ベース底面には、少なくとも１個の第一導ピンと少なくとも１個の第二導ピンを設置し、
該螺合固定台は、結合孔を備え、該螺合固定台の結合孔内壁には、該第一、二導ピンと電気的に連接する螺旋結合リングを設置し、しかも該螺合固定台の結合孔内底面には、該第一、二導ピンと電気的に連接する弾性接触片を設置し、
こうして、アダプタ構造の本体は、該ベースにより、既存のＰＬランプソケット上に嵌めて設置でき、既存の螺旋式照明具は、本考案のアダプタ構造を通して、既存のＰＬランプソケット上に応用可能となり、その適用範囲を拡大することができ、しかも、大金を投じる必要も、ＰＬランプソケット全体を交換する必要もない。
【考案の効果】
【０００７】
本考案のアダプタ構造は、螺旋式照明具を一般のＰＬランプソケット上に使用可能で、ＰＬランプソケット全体を交換しなくとも、比較的コストが低い螺旋式ＬＥＤ照明具を使用可能で、省エネと二酸化炭素削減の効果を達成することができる。
【図面の簡単な説明】
【０００８】
【図１】本考案アダプタ構造の概略外観模式図である。
【図２】本考案アダプタ構造の別の視角からの概略外観模式図である。
【図３】本考案アダプタ構造において、その内部状態を説明する側視断面模式図である。
【図４】本考案アダプタ構造の実際使用時の外観模式図である。
【図５】本考案アダプタ構造の実際使用時の側視断面模式図である。
【考案を実施するための形態】
【０００９】
以下に図面を参照しながら本考案を実施するための最良の形態について詳細に説明する。
【００１０】
本考案アダプタ構造は、図１、２、３に示すように、本体１０により構成する。本体１０両端には、ベース１１及び螺合固定台１５をそれぞれ形成する。本体１０のベース１１上には、分離し、しかも電気的に連接する複数の第一導ピン１２１と第二導ピン１２２を設置する。さらに、本体１０のベース１１は、周縁に、少なくとも２個の、相対する嵌合部１３を形成する。
【００１１】
上記したアダプタ構造を利用し、ベース１１の嵌合部１３により、既存のＰＬランプソケット上に選択的に嵌合することができる(図示せず)。さらに、こうしてアダプタ構造は、第一、二導ピン121、122を利用し、ＰＬランプソケットのプラス、マイナス極と、接触して通電することができる。
【００１２】
さらに、本体１０の螺合固定台１５は、結合孔１６を備え、螺合固定台１５の結合孔１６内壁には、金属の螺旋結合リング１８を設置する。螺旋結合リング１８には、既存の螺旋式の照明具２０を選択的に螺合して固定することができる。また、螺旋結合リング１８は、第一導入接続部１７１を利用し、ベース１１の第一導ピン１２１(或いは、第二導ピン１２２)と電気的連接を形成する。しかも、螺合固定台１５の結合孔１６内底面には、金属の弾性接触片１９を設置する。接触片１９は、第二導入接続部１７２を利用し、ベース１１の第二導ピン１２２(或いは、第一導ピン１２１)と電気的連接を形成する。
【００１３】
螺旋式照明具２０は、ＬＥＤ或いはタングステンフィラメントにより構成するランプ、バルブ等を自由に選択することができる。本考案照明具２０は、ＬＥＤランプを主要実施例とする。また、照明具２０は、結合台２５を備え、結合台２５外縁には、螺合固定台１５の螺旋結合リング１８に対応する螺旋導部２６を備える。しかも、結合台２５底部には、螺合固定台１５の接触片１９に対応する底面接触部２７を備える。これにより、照明具２０は、結合台２５を利用し、アダプタ構造本体１０の螺合固定台１５上に選択的に螺合して設置することができる。また、螺合固定台１５内の螺旋結合リング１８を利用し、接触片１９と電気回路を形成する。これにより、既存の螺旋式照明具２０を、ＰＬランプソケットに設置可能となり、こうして応用範囲が広く、しかも低コストのアダプタ構造を構成することができる。
【００１４】
上記した構造の設計により、本考案は実際の操作時に、図４、５に示すように、アダプタ構造の本体１０を、ベース１１により、既存のＰＬランプソケット(図示せず)上に嵌めて設置する。さらに、ベース１１の第一導ピン１２１及び第二導ピン１２２とＰＬランプソケット内のプラス、マイナス極を利用し、電気的連接を形成する。
【００１５】
続いて、ＬＥＤランプの照明具２０を、結合台２５により、アダプタ構造本体１０の螺合固定台１５上に螺合して設置する。これにより、照明具２０結合台２５の螺旋導部２６及び底面接触部２７は、螺合固定台１５の結合孔１６内の螺旋結合リング１８及び接触片１９と、それぞれ電気的連接を形成する。こうして、導電回路を形成し、既存の螺旋式照明具２０は、本考案のアダプタ構造を利用することで、既存のＰＬランプソケット上に応用でき、その適用範囲を拡大することができる。しかも、大金を投じてＰＬランプソケット全体を交換する必要もなく、省エネと二酸化炭素削減の目的を達成でき、使用のニーズに応えることができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は登録要件である新規性を備え、従来の同類製品に比べ十分な進歩性を有し、実用性が高く、社会のニーズに合致しており、産業上の利用価値は非常に大きい。
【符号の説明】
【００１８】
１０    本体
１１    ベース
１３    嵌合部
１２１  第一導ピン
１２２  第二導ピン
１５    螺合固定台
１６    結合孔
１７１  第一導入接続部
１７２  第二導入接続部
１８    螺旋結合リング
１９    （弾性）接触片
２０    照明具
２５    結合台
２６    螺旋導部
２７    底面接触部
【図１】
0003177544.tif 000003
【図２】
0003177544.tif 000004
【図３】
0003177544.tif 000005
【図４】
0003177544.tif 000006
【図５】
0003177544.tif 000007